(57)【要約】【課題】  少ないスペースで、散剤を調剤する薬剤師が移動することなく、散剤を分包装置に投入することができ、かつ錠剤容器棚に収容された錠剤容器から錠剤を自動で取り出して分包する機能を備えた薬剤分包機を提供する。【解決手段】  分包装置５は、筐体３の内部の下部領域内に配置されている。錠剤容器棚７は、筐体３の内部の上部領域内に配置されている。散剤容器棚９は、筐体３の内部の上部領域内に散剤の調剤スペースを確保するように錠剤容器棚７と横に並んで配置されている。【選択図】  図２
2020195852.tif 000002
【特許請求の範囲】
【請求項１】
筐体と、
前記筐体の内部の下部領域内に配置された分包装置と、
前記筐体の内部の上部領域内に配置された、複数の錠剤容器が収納される錠剤容器棚と、
前記筐体の内部の上部領域内に、散剤の調剤スペースを確保するように前記錠剤容器棚と横に並んで配置された、複数の散剤容器が収納される散剤容器棚とを備えており、
前記上部領域には、前記分包装置の上方かつ前記錠剤容器棚の下方に手撒き装置を備えており、
前記下部領域には、分包装置の上方位置に散剤フィーダが配置されており、
前記手撒き装置の前方にあって前記下部領域の上限の一部を規定する前記散剤フィーダの上面に形成された散剤投入口から調剤済みの散剤を作業者が前記散剤フィーダに投入できるように前記散剤フィーダが配置されていることを特徴とする薬剤分包機。
【請求項２】
前記手撒き装置の横方向の幅寸法が、前記錠剤容器棚の横方向の幅寸法と同じかまたは前記錠剤容器棚の横方向の幅寸法よりも小さい請求項１に記載の薬剤分包機。
【発明の詳細な説明】
【技術分野】
【０００１】
本発明は、錠剤分包機の機能と散剤分包機の機能とを備えた薬剤分包機に関するものである。
【背景技術】
【０００２】
特許文献１には、錠剤と散剤とを任意の組み合わせで分包することを目的として、筐体の内部の上部領域に錠剤容器棚を配置し、筐体の内部の下部領域に錠剤分包機能と散剤分包機能とを備えた分包装置を配置した薬剤分包機が開示されている。特許文献１に開示された薬剤分包機では、筐体の下部領域に１調剤分の散剤を供給する散剤フィーダが配置されており、散剤フィーダには別途調剤した１調剤分の散剤が手動で投入される。
【０００３】
また、特許文献２には、調剤作業用の板の上に、散剤容器棚を分離可能に配置し、調剤作業用の板の下に分離可能に複数の脚を配置して調剤作業用の板を支持し、調剤作業用の板の下の格納空間に、散剤分包装置を滑り込ませて固定せずに配置できるように構成された調剤システムが開示されている。特許文献２で開示された調剤システムにおいては、散調剤作業用の板の上に散剤容器棚を設け、調剤作業用の板の下に散剤分包装置を配置することにより、薬剤師が調剤作業することと、調剤した散剤を手動で散剤分包機に投入する作業が容易になる。
【先行技術文献】
【特許文献】
【０００４】
【特許文献１】特許第２８１６４１５号公報
【特許文献２】特開２００２−８５５２５号公報
【発明の概要】
【発明が解決しようとする課題】
【０００５】
しかしながら、特許文献１に開示されている薬剤分包機においては、手動で散剤を散剤フィーダに投入する際には、薬剤師が別途設けられた散剤容器棚から散剤容器を取り出して、別の場所で調剤作業をした後、薬剤分包機へ移動して、調剤した散剤を薬剤フィーダに投入する必要がある。そのため散剤の調剤スペースが別に必要となるだけでなく、作業効率を悪くしている。また、特許文献２に開示されている調剤システムにおいては、自動で錠剤を分包する機能が備えられていないため、１箇所で錠剤と散剤とを分包することができない。
【０００６】
本発明の目的は、少ないスペースで、散剤を調剤する薬剤師が移動することなく、散剤を分包装置に投入することができ、かつ錠剤容器棚に収容された錠剤容器から錠剤を自動で取り出して分包する機能を備えた薬剤分包機を提供することにある。
【課題を解決するための手段】
【０００７】
本発明が対象とする薬剤分包機は、筐体と筐体の内部の下部領域内に配置された分包装置と、筐体の内部の上部領域内に配置された、複数の錠剤容器が収納される錠剤容器棚と、筐体の内部の上部領域内に、散剤の調剤スペースを確保するように錠剤容器棚と横に並んで配置された、複数の散剤容器が収納される散剤容器棚とを備えている。このようにすると、薬剤師は実質的に移動せずに散剤容器棚から散剤容器を取り出して、調剤作業を行った後、その場で散剤を手動で分包装置に投入することができる。また、錠剤容器棚も併設されており、分包装置と連動させることにより、１台の薬剤分包機によって、錠剤の分包と散剤の分包とを行うことができる。
【０００８】
また、錠剤容器棚は、一端が蝶番機構により開閉可能に結合され他端が解錠可能な結合具によって結合された第1及び第２の分割棚によって構成され、該蝶番機構が、散剤容器棚が配置される側とは反対側に位置するように錠剤容器棚が構成されていることが好ましい。このように蝶番機構を設けることにより、錠剤容器棚に収納された錠剤容器の交換作業を行う際における作業者の動線が簡単且つ短くなり、作業者が殆ど移動せずに作業をすることができる。
【０００９】
なお、錠剤容器棚は、散剤容器棚側に結合具が位置するように配置され、散剤容器棚は、結合具の操作を阻害しないように構成されていることが好ましい。このように構成することにより、作業者が実質的に移動することなく第１及び第２の分割棚を開くことができる。
【００１０】
また、散剤容器棚は、作業者が結合具を手動操作により解錠することを可能にし且つ調剤スペースを確保するように構成されていることが好ましい。この場合、散剤容器棚は、下部領域から上方向に所定の空間をあけて配置されており、該空間が、手動操作を可能にし且つ調剤スペースを確保する広さを有している。このように構成することにより、手動操作により結合具を解錠することができるだけでなく、該空間を散剤の計量等の調剤作業を行うためのスペースとして活用することができる。
【００１１】
なお散剤容器棚は、上下方向に間隔をあけて配置された複数の棚板部材から構成することができる。この場合、棚板部材は、手前から奥に向かうに従って所定の範囲内で錠剤容器棚との間の寸法が広くなる形状を有しているのが好ましい。このようにすると、解錠作業及び調剤作業を容易に行える。
【００１２】
また下部領域には、分包装置の上方位置に上方側から調剤済みの散剤を投入できるように散剤フィーダを配置するのが好ましい。この配置構成によれば、作業者は姿勢を殆ど変えることなく、散剤を散剤フィーダに投入することができ、作業性が向上する。
【００１３】
上部領域には、分包装置の上方に手撒き装置を備えており、手撒き装置の横方向の幅寸法が、錠剤容器棚の横方向の幅寸法よりも小さくなるように構成してもよい。このように構成すると、散剤容器棚の下方向に設けた調剤スペースの広さが狭まることを防ぐことができる。
【００１４】
なお、分包作業のために確認が必要なデータを入出力する入出力装置と、筐体に対して入出力装置を取り付ける取付機構とを更に備え、取付機構は、非分包作業時には、錠剤容器棚または散剤容器棚の前方で分包装置の上方空間内に入出力装置が位置することを許容し、分包作業時には錠剤容器棚または散剤容器棚の横で且つ分包装置の上方空間から外れた場所に入出力装置が位置することを許容するように構成されていてもよい。このように構成すると、搬送が容易になるだけでなく、狭いスペースでも入出力装置を見やすい位置に置くことができる。
【００１５】
また、取付機構は、散剤容器棚側の筐体のフレームに取り付けられていることが好ましい。
【００１６】
なお、筐体の内部の下部領域には、調剤スペースの下方となる位置に印刷装置を備えつけてもよい。このように印刷装置を備えつけると、調剤スペースにおいて電子天秤を用いた散薬の計量を行う際に、計量結果の印刷を外部の印刷装置を用いずに、薬剤分包機に備え付けた印刷装置により行うことができるため、散剤の分包を行う際の作業者の移動量を減らすことができる。
【図面の簡単な説明】
【００１７】
【図１】本発明の実施の形態の薬剤分包機の正面図である。
【図２】薬剤分包機の斜視図である。
【図３】薬剤分包機の平面図である。
【図４】錠剤容器棚を正面側に開いた状態の薬剤分包機の斜視図である。
【図５】錠剤容器棚を正面側に開いて分割した状態の薬剤分包機の斜視図である。
【図６】（Ａ）は、薬剤分包機から取り外した錠剤容器棚の右斜め前方から見た斜視図、（Ｂ）は右側面図、（Ｃ）は平面図、（Ｄ）は正面図、（Ｅ）は左斜め前方から見た斜視図である。
【図７】（Ａ）は、薬剤分包機から取り外した棚板部材の斜視図、（Ｂ）は平面図である。
【図８】本発明の他の実施の形態の薬剤分包機１０１の斜視図である。
【発明を実施するための形態】
【００１８】
以下、図面を参照して、本発明を適用した薬剤分包機の実施の形態について説明する。
【００１９】
図１は、本発明の実施の形態の薬剤分包機１の正面図であり、図２は、薬剤分包機１の斜視図であり、図３は、薬剤分包機１の平面図である。薬剤分包機１は、筐体３と、分包装置５と、図示しない複数の錠剤容器が収納される錠剤容器棚７と、図示しない複数の散剤容器が収納される散剤容器棚９と、分包作業のために確認が必要なデータを入出力する入出力装置１１とを備えている。分包装置５は、筐体３の内部の下部領域Ｒ１内に配置されている。錠剤容器棚７は、筐体３の内部の上部領域Ｒ２内に配置されている。散剤容器棚９は、筐体３の内部の上部領域Ｒ２内に散剤の調剤スペースを確保するように錠剤容器棚７と横に並んで配置されている。本発明の実施の形態においては、正面から見て、筐体３の内部の左側に錠剤容器棚７が配置され、右側に散剤容器棚９が配置されている。また、調剤スペースＳは、後述する散剤容器棚９の最下段の棚板部材１３ｃが、下部領域Ｒ１から所定の空間をあけて配置されていることにより確保されている。本実施の形態では、下部領域Ｒ１の上限は、作業台１４と後述する散剤フィーダ２３の上面によって規定される。このようにすると、薬剤師は実質的に移動せずに散剤容器棚９から散剤容器を取り出して、作業台１４で調剤作業を行った後、その場で散剤を手動で散剤フィーダ２３に投入することができる。また、錠剤容器棚７も併設されているため、分包装置５と連動させることにより、１台の薬剤分包機１によって、錠剤の分包と散剤の分包とを行うことができる。
【００２０】
次に、錠剤容器棚７の構造について説明する。図４は、錠剤容器棚７を正面側に開いた状態の薬剤分包機１の斜視図であり、図５は、錠剤容器棚７を正面側に開いて分割した状態の薬剤分包機１の斜視図である。また、図６は、薬剤分包機１から取り外した錠剤容器棚７の図面であり、図６（Ａ）は錠剤容器棚７の右斜め前方から見た斜視図、図６（Ｂ）は錠剤容器棚７の右側面図、図６（Ｃ）は錠剤容器棚７の平面図、図６（Ｄ）は錠剤容器棚７の正面図、図６（Ｅ）は錠剤容器棚７の左斜め前方から見た斜視図である。なお図１、図４及び図５において、錠剤容器棚７には、錠剤を収納する複数の錠剤容器は図示していない。錠剤容器棚７には、図示しない複数の錠剤容器から錠剤を自動排出するための複数の排出機構１６を図示してある。なお図１、図４及び図５には、複数の排出機構１６の全てに符号は付していない。なお錠剤容器の一例については、特開２００２−８５５２５号公報に「錠剤容器１」として図示されている。
【００２１】
本実施の形態の錠剤容器棚７は、第１の分割棚１５ａと第２の分割棚１５ｂとによって構成されている。第１の分割棚１５ａ及び第２の分割棚１５ｂには、図示しない錠剤容器がそれぞれ収納される。第１の分割棚１５ａと第２の分割棚１５ｂは、一端が蝶番機構１７により開閉可能に結合され他端が解錠可能な結合具１９によって結合されている。蝶番機構１７は、第１の分割棚１５ａと第２の分割棚１５ｂの片側端部の上下位置に２つの蝶番が配置されて構成されている。結合具１９は、２つのレバーファスナ１９ａ及び１９ｂによって構成されている。レバーファスナ１９ａ及び１９ｂは、図５に示すように、それぞれレバー２０ａとフック２０ｂとから構成される。
【００２２】
本発明の実施の形態の錠剤容器棚７では、結合具１９が散剤容器棚９が配置される側に位置し、蝶番機構１７が散剤容器棚９が配置される側とは反対側に位置するように構成されている。このように蝶番機構１７を設けることにより、錠剤容器棚７に収納された錠剤容器の交換作業を行う際における作業者の動線が簡単且つ短くなり、作業者が殆ど移動せずに作業をすることができる。なお、本発明の実施の形態では、錠剤容器棚７は２つの結合具１９を備えているが、結合具の数を増やしても減らしても良いのはもちろんである。
【００２３】
次に、散剤容器棚９の構造について説明する。散剤容器棚９は、上下方向に間隔をあけて配置された３つの棚板部材１３ａ〜１３ｃから構成されている。図７は、薬剤分包機１から取り外した棚板部材１３ａの図面であり、（Ａ）は棚板部材１３ａの斜視図、（Ｂ）は棚板部材１３ａの平面図である。棚板部材１３ａは、薬剤分包機１の正面側の辺２１ａ、背面側の辺２１ｄ、右側面側の辺２１ｅ、錠剤容器棚７側の辺２１ｃ、辺２１ａの一端と辺２１ｃの一端を結ぶ辺２１ｂとから構成される五角形の形状を有している。そして、辺２１ｂと辺２１ｅとの間の距離は、手前から奥に向かうに従って長くなっている。このような形状の３つの棚板部材１３ａ〜１３ｃから散剤容器棚９を構成することにより、手動操作により結合具１９を解錠することができ、作業者が実質的に移動することなく第１の分割棚１５ａと第２の分割棚１５ｂを開くことができる。また、散剤容器棚９の最下段の棚板部材１３ｃは、下部領域Ｒ１から所定の空間をあけて配置されている。このように構成することにより、該空間を散剤の計量等の調剤作業を行うための調剤スペースＳとして活用することができる。
【００２４】
また筐体３の内部の下部領域Ｒ１内には、分包装置５の上方位置に散剤フィーダ２３が配置されている。散剤フィーダ２３は、上方側に形成された散剤投入口２５から調剤済みの散剤を投入することができる。この配置構成によれば、作業者は姿勢を殆ど変えることなく、散剤を散剤フィーダ２３に投入することができ、作業性が向上する。
【００２５】
さらに、筐体３の内部の上部領域Ｒ２には、分包装置５の上方（錠剤容器棚７の下方）に手撒き装置２７が備えられている。そして、手撒き装置２７の横方向の幅寸法が、錠剤容器棚７の横方向の幅寸法よりも小さくなるように構成してもよい。このように構成すると、散剤容器棚９の下方向に設けた調剤スペースＳの広さが狭まることを防ぐことができる。
【００２６】
なお、本発明の実施の形態の薬剤分包機１は、筐体３に対して入出力装置１１を取り付ける取付機構２９を備えている。取付機構２９は、非分包作業時には、錠剤容器棚７または散剤容器棚９の前方で分包装置５の上方空間内に入出力装置１１が位置することを許容し、分包作業時には錠剤容器棚７または散剤容器棚９の横で且つ分包装置５の上方空間から外れた場所に入出力装置１１が位置することを許容するように構成されている。このように構成すると、搬送が容易になるだけでなく、狭いスペースでも入出力装置１１を見やすい位置に置くことができる。本発明の実施の形態では、取付機構２９は、散剤容器棚９側の筐体のフレーム３１に取り付けられている。このように取り付けることにより、入出力装置１１が、第１の分割棚１５ａと第２の分割棚１５ｂの開閉作業の邪魔にならない。
【００２７】
この実施の形態の薬剤分包機１について、その使用態様及び動作を説明する。
【００２８】
調剤師等の作業者は、薬剤分包機１の正面に立って、一連の作業を行う。まず、作業者は入出力装置１１に分包作業に必要な処方データを入力する。なお、処方データは、図示しない処方オーダリングシステム経由により、入出力装置１１に入力することもできる。そして、必要な錠剤を収容した錠剤容器が錠剤容器棚７に収納されている場合は、錠剤容器棚７から図示しない錠剤案内路を通じて必要な錠剤が分包装置５に送り出される。次に、必要な錠剤を収容した錠剤容器が錠剤容器棚７に収納されていない場合は、入出力装置１１にその旨が表示される。この場合、作業者は必要な錠剤を他の場所から持ってきて、手撒き装置２７に必要な錠剤を投入することにより、必要な錠剤を分包装置５に送り出す。さらに、散剤が必要な場合は、入出力装置１１にその旨が表示される。この場合、作業者は必要な散剤を収容した散剤容器を散剤容器棚９から取り出す。そして、調剤スペースＳにおいて、図示しない電子天秤等を用いて散剤を計量し、必要な分量の散剤を取り出す。取り出した散剤は、散剤投入口２５から散剤フィーダ２３に投入することにより、必要な散剤を分包装置５に送り出す。
【００２９】
次に、錠剤容器棚７に錠剤の補充や、錠剤容器棚７の錠剤落下経路の清掃を行う場合について説明する。
【００３０】
まず、第１の分割棚１５ａに錠剤を補充する場合は、図２に示す錠剤容器棚７が閉じた状態の薬剤分包機１に対して、補充を行う。すなわち、正面側から錠剤容器と取出し、錠剤を補充した後に、錠剤容器を戻すことで錠剤容器棚７に錠剤を補充する。一方で、第２の分割棚１５ｂに錠剤を補充する場合は、図４に示す錠剤容器棚７を正面側に開いた状態の薬剤分包機１に対して、補充を行う。すなわち、閉じた状態では背面側に位置する錠剤容器を取出し、錠剤を補充した後に、錠剤容器を戻すことで錠剤容器棚７に錠剤を補充する。
【００３１】
また、錠剤容器棚７の錠剤落下経路の清掃は、第１の分割棚１５ａと第２の分割棚１５ｂの互いと対向する面３３ａ及び３３ｂにそれぞれ形成されている。したがって、図５に示す錠剤容器棚７を正面側に開いて分割した状態の薬剤分包機１に対して錠剤容器棚７の錠剤落下経路の清掃を行う。
【００３２】
以上より、本発明の実施の形態の薬剤分包機１を用いることにより、作業者が殆ど移動せずに１台の薬剤分包機１によって、錠剤の分包と散剤の分包とを行うことができるだけでなく、最小限の作業者の移動で錠剤容器棚７に錠剤の補充や、錠剤容器棚７の錠剤落下経路の清掃を行うことができる。
【００３３】
次に本発明の他の実施の形態の薬剤分包機１０１について説明する。
【００３４】
図８は、本発明の他の実施の形態の薬剤分包機１０１の斜視図である。薬剤分包機１０１の筐体１０３の内部の下部領域には、調剤スペースの下方となる位置に印刷装置１５０を備えつけている。散剤の調剤は、錠剤の調剤に比べ分包後に視認による調剤の正否をチェックすることが困難である。そのため、散剤の調剤をする場合は、調剤をした散薬の計量結果を記録に残すことにより、調剤の正否をチェックする必要がある。薬剤分包機１０１のように印刷装置１５０を備えつけると、調剤スペースにおいて図示しない電子天秤等を用いた散薬の計量を行う際に、計量結果の印刷を外部の印刷装置を用いずに、薬剤分包機１に備え付けた印刷装置１５０により行うことができるため、散剤の分包を行う際の作業者の移動を減らすことができる。
【産業上の利用可能性】
【００３５】
本発明によれば、分包装置と、複数の錠剤容器が収納される錠剤容器棚と、散剤の調剤スペースを確保するように錠剤容器棚と横に並んで配置された、複数の散剤容器が収納される散剤容器棚とを備えているため、薬剤師は実質的に移動せずに散剤容器棚から散剤容器を取り出して、調剤作業を行った後、その場で散剤を手動で分包装置に投入することができる。また、錠剤容器棚も併設されており、分包装置と連動させることにより、１台の薬剤分包機によって、錠剤の分包と散剤の分包とを行うことができる。
【符号の説明】
【００３６】
１  薬剤分包機
３  筐体
５  分包装置
７  錠剤容器棚
９  散剤容器棚
１１  入出力装置
１３ａ〜１３ｃ  棚板部材
１４  作業台
１５ａ  第１の分割棚
１５ｂ  第２の分割棚
１６  排出機構
１７  蝶番機構
１９  結合具
２３  散剤フィーダ
２５  散剤投入口
２７  手撒き装置
２９  取付機構
３１  筐体のフレーム
【図１】
2020195852.tif 000003
【図２】
2020195852.tif 000004
【図３】
2020195852.tif 000005
【図４】
2020195852.tif 000006
【図５】
2020195852.tif 000007
【図６】
2020195852.tif 000008
【図７】
2020195852.tif 000009
【図８】
2020195852.tif 000010